(57)【要約】【課題】ユーザが特別な選択操作を行うことなく、自動的に前アプリケーションの実行結果を利用する。【解決手段】状態判別部６の判別結果が第１の使用状態から第２の使用状態への移行を示す場合、第１の使用状態で実行されていた第１のアプリケーションの実行結果を第２のアプリケーションに引き渡して、その第２のアプリケーションを実行する。これにより、ユーザが起動対象のアプリケーションを一々選択しなくても、使用状態に応じたアプリケーションを自動的に起動することができる。また、ユーザがアプリケーションの動作条件（例えば、メール添付する画像の指定、再生する画像の指定）を一々入力しなくても、所望の動作を実現することができる。【選択図】        図２
2004274494.tif 000002
【特許請求の範囲】
【請求項１】
複数のサブ筐体を変形自在に接続して筐体を形成する接続手段と、上記接続手段により形成されている筐体の変形を検知して使用状態を判別する状態判別手段と、上記状態判別手段の判別結果が第１の使用状態から第２の使用状態への移行を示す場合、上記第１の使用状態で実行されていた第１のアプリケーションの実行結果を第２のアプリケーションに引き渡して、その第２のアプリケーションを実行する制御手段とを備えた携帯情報端末。
【請求項２】
サブ筐体である表示ユニットが、他のサブ筐体である操作ユニットに折り畳まれている状態と開いている状態とを実現するとともに、その表示ユニットが開いている状態のとき当該表示ユニットの回転を実現するヒンジ機構と、上記操作ユニットに取り付けられているカメラユニットの回転を実現する回転機構とから接続手段を構成し、状態判別手段が上記ヒンジ機構のヒンジ角と上記回転機構の回転角を検知して使用状態を判別することを特徴とする請求項１記載の携帯情報端末。
【請求項３】
制御手段は、状態判別手段により判別された使用状態に対応するアプリケーションが複数存在する場合、その使用状態における過去のアプリケーションの起動実績を考慮して、起動対象のアプリケーションを選択することを特徴とする請求項１または請求項２記載の携帯情報端末。
【請求項４】
制御手段は、状態判別手段により判別された使用状態に対応するアプリケーションが複数存在する場合、複数のアプリケーションから起動対象のアプリケーションの選択を受け付けるメニューを表示することを特徴とする請求項１または請求項２記載の携帯情報端末。
【請求項５】
制御手段は、ビデオ撮影又は静止画撮影を行うアプリケーションから、送信メールの作成を行うアプリケーションに切り換える場合、そのビデオ撮影又は静止画撮影により撮影された画像を当該送信メールに添付することを特徴とする請求項１から請求項４のうちのいずれか１項記載の携帯情報端末。
【請求項６】
制御手段は、ビデオ撮影又は静止画撮影を行うアプリケーションから、画像の再生を行うアプリケーションに切り換える場合、そのビデオ撮影又は静止画撮影により撮影された画像を再生することを特徴とする請求項１から請求項４のうちのいずれか１項記載の携帯情報端末。
【請求項７】
制御手段は、カメラユニットを操作ユニットに対して脱着自在に取り付け、そのカメラユニットが当該操作ユニットから取り外されて、他の拡張ユニットが当該操作ユニットに取り付けられた場合、その拡張ユニットの機能を考慮して、起動対象のアプリケーションを選択することを特徴とする請求項２記載の携帯情報端末。
【請求項８】
表示ユニットの傾きを検知し、その表示ユニットの傾きに応じてカメラユニットにより撮影された画像の表示方向を切り換える表示制御手段を設けたことを特徴とする請求項２記載の携帯情報端末。
【発明の詳細な説明】
【０００１】
【発明の属する技術分野】
この発明は、表示ユニットが開いている状態のとき、その表示ユニットの回転を実現するヒンジ機構を備えている携帯情報端末に関するものである。
【０００２】
【従来の技術】
従来の携帯情報端末は、電子カメラを筐体に対して回転自在に取り付け、その電子カメラが内側を向いているときはテレビ電話のアプリケーションを起動し、その電子カメラが外側を向いているときはデジタルカメラのアプリケーションを起動する（以下の特許文献１を参照）。
【０００３】
【特許文献１】
特開平１１−１１２８６０公報（段落番号［００１２］から［００１５］、図１）
【０００４】
【発明が解決しようとする課題】
従来の携帯情報端末は以上のように構成されているので、ユーザが電子カメラの向きを変えれば、テレビ電話又はデジタルカメラのアプリケーションが自動的に起動される。しかし、あるアプリケーションから他のアプリケーションに切り換るとき、前アプリケーションの実行結果が新たに起動されるアプリケーションに引き渡されることはないため、ユーザが新たに起動されるアプリケーションにおいて前アプリケーションの実行結果の利用を希望する場合、前アプリケーションの実行結果の選択操作等が必要となるなどの課題があった。
【０００５】
この発明は上記のような課題を解決するためになされたもので、ユーザが特別な選択操作を行うことなく、自動的に前アプリケーションの実行結果を利用することができる携帯情報端末を得ることを目的とする。
【０００６】
【課題を解決するための手段】
この発明に係る携帯情報端末は、状態判別手段の判別結果が第１の使用状態から第２の使用状態への移行を示す場合、第１の使用状態で実行されていた第１のアプリケーションの実行結果を第２のアプリケーションに引き渡して、その第２のアプリケーションを実行するようにしたものである。
【０００７】
【発明の実施の形態】
以下、この発明の実施の一形態を説明する。
実施の形態１．
図１はこの発明の実施の形態１による携帯情報端末を示す外形図であり、図２はこの発明の実施の形態１による携帯情報端末を示す構成図である。
この実施の形態１では、携帯情報端末が携帯電話であるものとして説明するが、これに限るものではなく、例えば、モバイルＰＣやＰＤＡなどでもよい。
図において、接続手段を構成しているヒンジ機構３は表示ユニット１（サブ筐体）が操作ユニット２（サブ筐体）に折り畳まれている状態（状態ａ，ｄ，ｅを参照）と開いている状態（状態ｂを参照）とを実現する第１ヒンジと、その表示ユニット１が開いている状態のとき表示ユニット１の回転を実現する第２ヒンジ（状態ｃを参照）とを備えている。
接続手段を構成している回転機構５は操作ユニット２に取り付けられているカメラユニット４の回転を実現する（状態ｄを参照）。
【０００８】
ここで、状態ａは液晶ディスプレイ１ａが見えないように表示ユニット１が操作ユニット２に折り畳まれている状態、状態ｂは表示ユニット１が開いており、例えば、電話、メール、ビューアー（画像の再生）、ブラウザ（インターネットのホームページ参照）等を行うことが可能な状態である。
また、状態ｃは表示ユニット１が開いており、例えば、ビデオ撮影や静止画撮影を行うことが可能な状態である。状態ｄは液晶ディスプレイ１ａが見えるように表示ユニット１が操作ユニット２に折り畳まれ、例えば、ビデオ撮影、静止画撮影、ビューアー等を行うことが可能な状態である。状態ｅは液晶ディスプレイ１ａが見えるように表示ユニット１が操作ユニット２に折り畳まれ、例えば、ビューアー、ブラウザ等を行うことが可能な状態である。
【０００９】
状態判別部６はヒンジ機構３のヒンジ角と回転機構５の回転角を検知して、現在の使用状態が状態ａ〜ｅのいずれであるかを判別する。なお、状態判別部６は状態判別手段を構成している。
起動実績保存部７は状態ａ〜ｅにおける過去のアプリケーションの起動実績を保存している。アプリ記憶部８は状態ａ〜ｅに対応するアプリケーションを記憶している。アプリ起動部９は状態判別部６により判別された使用状態に対応するアプリケーションを起動するとともに、その使用状態に移行する前の使用状態における使用結果を当該アプリケーションに引き渡す処理を実施する。なお、起動実績保存部７、アプリ記憶部８及びアプリ起動部９から制御手段が構成されている。
図３はこの発明の実施の形態１による携帯情報端末の処理内容を示すフローチャートである。
【００１０】
次に動作について説明する。
例えば、表示ユニット１が操作ユニット２に折り畳まれている状態ａからユーザが表示ユニット１を開くことにより、携帯情報端末の使用状態が状態ａから状態ｂに移行すると、ヒンジ機構３のヒンジ角が変化しているので、状態判別部６がヒンジ機構３のヒンジ角を検知し、現在の使用状態が状態ｂであると判別する（ステップＳＴ１〜ＳＴ３）。
即ち、状態判別部６は、ヒンジ機構３における第１ヒンジのヒンジ角が略１８０度であり、第２ヒンジのヒンジ角（操作ユニット２に対する表示ユニット１の回転角）が０度であれば、現在の使用状態が状態ｂであると判別する。
【００１１】
アプリ起動部９は、状態判別部６により現在の使用状態が状態ｂであると判別されると、起動実績保存部７を参照して、前回の使用状態が状態ａであることを確認し、使用状態が状態ａから状態ｂに移行したことを認識する。
アプリ起動部９は、使用状態が状態ａから状態ｂに移行した場合（ステップＳＴ４）、状態ｂにおいて起動可能なアプリケーションの情報をアプリ記憶部８から取得し、起動可能なアプリケーションを示すメニューを液晶ディスプレイ１ａに表示する（ステップＳＴ５）。例えば、ビューアー、メール、ブラウザ、電話などの選択を受け付けるメニューを液晶ディスプレイ１ａに表示する。
これにより、ユーザが例えば“メール”を選択すれば、送信メールの作成や受信メールの表示を受け付けるアプリケーションを起動し、ユーザが例えば“電話”を選択すれば、電話の発信を受け付けるアプリケーションを起動する（ステップＳＴ６）。
【００１２】
一方、ユーザが起動対象のアプリケーションを選択することなく、例えば、ユーザが表示ユニット１を回転させることにより、携帯情報端末の使用状態が状態ｂから状態ｃに移行すると、ヒンジ機構３のヒンジ角が変化しているので、状態判別部６がヒンジ機構３のヒンジ角を検知し、現在の使用状態が状態ｃであると判別する（ステップＳＴ１〜ＳＴ３）。
即ち、状態判別部６は、ヒンジ機構３における第１ヒンジのヒンジ角が略９０度であり、第２ヒンジのヒンジ角が略９０度であれば、現在の使用状態が状態ｃであると判別する。
【００１３】
アプリ起動部９は、状態判別部６により現在の使用状態が状態ｃであると判別されると、起動実績保存部７を参照して、前回の使用状態が状態ｂであることを確認し、使用状態が状態ｂから状態ａに移行したことを認識する。
アプリ起動部９は、使用状態が状態ｂから状態ｃに移行したことを認識すると（ステップＳＴ４）、状態ｃにおいて起動可能なアプリケーションの情報をアプリ記憶部８から取得する。
例えば、状態ｃにおいて起動可能なアプリケーションとして、ビデオ撮影と静止画撮影のアプリケーションが得られた場合、アプリ起動部９は、ビデオ撮影又は静止画撮影のアプリケーションを自動的に起動する。具体的には、起動実績保存部７に保存されている起動実績を参照し、前回、状態ｃにおいてビデオ撮影のアプリケーションが起動されていれば、ビデオ撮影のアプリケーションを起動する。一方、前回、状態ｃにおいて静止画撮影のアプリケーションが起動されていれば、静止画撮影のアプリケーションを起動する（ステップＳＴ７）。なお、何れかのアプリケーションが起動されたのち、ユーザが図示せぬメニュー表示ボタンを押せば、状態ｃにおいて起動可能なアプリケーションを示すメニューが表示され、任意のアプリケーションを選択して起動させることもできる。
【００１４】
このようにして、ビデオ撮影又は静止画撮影が実施されたのち、例えば、ユーザが表示ユニット１を回転させて、その表示ユニット１を閉じることにより、携帯情報端末の使用状態が状態ｃから状態ｅに移行すると、ヒンジ機構３のヒンジ角が変化しているので、状態判別部６がヒンジ機構３のヒンジ角を検知し、現在の使用状態が状態ｅであると判別する（ステップＳＴ１〜ＳＴ３）。
即ち、状態判別部６は、ヒンジ機構３における第１ヒンジのヒンジ角が０度であり、第２ヒンジのヒンジ角が１８０度であれば、現在の使用状態が状態ｅであると判別する。なお、状態ｅと状態ｄの区別は、回転機構５の回転角を検知することにより行う。例えば、その回転角が０度であれば、状態ｅであると判別し、その回転角が略９０度であれば、状態ｄであると判別する。
【００１５】
アプリ起動部９は、状態判別部６により現在の使用状態が状態ｅであると判別されると、起動実績保存部７を参照して、前回の使用状態が状態ｃであることを確認し、使用状態が状態ｃから状態ｅに移行したことを認識する。
アプリ起動部９は、使用状態が状態ｃから状態ｅに移行したことを認識すると（ステップＳＴ４）、状態ｅにおいて起動可能なアプリケーションの情報をアプリ記憶部８から取得する。
例えば、状態ｅにおいて起動可能なアプリケーションとして、ビューアーとブラウザのアプリケーションが得られた場合、アプリ起動部９は、ビューアーのアプリケーション又はブラウザのアプリケーションを起動する。具体的には、起動実績保存部７に保存されている起動実績を参照し、前回、状態ｅにおいてビューアーのアプリケーションが起動されていれば、ビューアーのアプリケーションを起動する。一方、前回、状態ｅにおいてブラウザのアプリケーションが起動されていれば、ブラウザのアプリケーションを起動する（ステップＳＴ７）。
【００１６】
ただし、ステップＳＴ７でビューアーのアプリケーションを起動する場合、状態ｃにおいて撮影されたカメラアプリケーションの動画像又は静止画像をビューアーのアプリケーションに引き渡し、そのビューアーのアプリケーションが状態ｃにおいて撮影された動画像又は静止画像を再生する。
これにより、ユーザが画像の再生指令を入力しなくても、最新の動画像や静止画像を再生することができる。因みに、ビデオ撮影又は静止画撮影の直後に画像を再生する使用形態では、一般的に、直前に撮影された画像の確認を目的とする場合が多いものと考えられる。
【００１７】
以後、ユーザが表示ユニット１の回転や開閉、あるいは、カメラユニット４の回転等を行うことにより、ヒンジ機構３のヒンジ角や回転機構５の回転角が変化すると、上記と同様にして、状態判別部６が現在の使用状態を判別し（ステップＳＴ１〜ＳＴ３）、アプリ起動部９が現在の使用状態に対応するアプリケーションを起動する（ステップＳＴ４，ＳＴ７）。また、その際、現在の使用状態に移行する前の使用状態における使用結果を必要に応じて当該アプリケーションに引き渡すようにする。
【００１８】
図４は起動対象のアプリケーションに引き渡される使用結果と動作内容の一例を示している。例えば、状態ｃ又は状態ｄにおいて、ビデオ撮影又は静止画撮影を実施した後に、状態ｂに移行して、送信メールの作成等を受け付けるアプリケーションが起動されると、ビデオ撮影又は静止画撮影により撮影された画像が当該アプリケーションに引き渡され、図５に示すように、その画像が自動的に送信メールに添付されるようになる。
これにより、ユーザが送信メールを作成する際、画像の添付指令を入力しなくても、最新の動画像や静止画像を送信メールに添付することができる。因みに、ビデオ撮影又は静止画撮影の直後にメールを送信する使用形態では、一般的に、直前に撮影された画像のメール送信を目的とする場合が多いものと考えられる。なお、上述したようにカメラのアプリケーションにより撮像された画像をビューアーのアプリケーションが再生した後、メールのアプリケーションに切り換えられた場合、その画像を送信メールに添付するという３段階のアクションを行ってもよい。
【００１９】
以上で明らかなように、この実施の形態１によれば、状態判別部６の判別結果が第１の使用状態から第２の使用状態への移行を示す場合、第１の使用状態で実行されていた第１のアプリケーションの実行結果を第２のアプリケーションに引き渡して、その第２のアプリケーションを実行するように構成したので、ユーザが起動対象のアプリケーションを一々選択しなくても、使用状態に応じたアプリケーションを自動的に起動することができる効果を奏する。また、ユーザがアプリケーションの動作条件（例えば、メール添付する画像の指定、再生する画像の指定）を一々入力しなくても、所望の動作を実現することができる効果を奏する。
【００２０】
なお、使用状態が変化したとき、一旦、アプリケーションを終了し、次のアプリケーションを起動することは必須ではない。即ち、ユーザが使用するアプリケーションが切り換えられれば、複数のアプリケーションが同時に実行されていてもよい。
また、アプリケーションとは、作業目的に応じて使用されるソフトウエアであり、各々１つの独立したプログラムであってもよいし、複数のアプリケーションが１つのプログラムに統合されていてもよい。
【００２１】
実施の形態２．
上記実施の形態１では、状態判別部６により判別された使用状態に対応するアプリケーションが複数存在する場合、起動実績保存部７に保存されている起動実績を参照し、その使用状態において、前回起動されたアプリケーションを選択して起動するものについて示したが、これに限るものではなく、例えば、過去の使用において、最も使用頻度が高いアプリケーションを選択して起動するようにしてもよい。
【００２２】
例えば、現在の使用状態に対応するアプリケーションがビデオ撮影のアプリケーションと、静止画撮影のアプリケーションである場合、過去１１回（過去の起動実績として、過去１１回を参照する設定がなされている場合）において、ビデオ撮影のアプリケーションが６回、静止画撮影のアプリケーションが５回起動されている場合、ビデオ撮影のアプリケーションを選択して起動するようにする。
これにより、上記実施の形態１と同様の効果を奏することができる。
【００２３】
実施の形態３．
上記実施の形態１では、状態判別部６により判別された使用状態に対応するアプリケーションが複数存在する場合、起動実績保存部７に保存されている起動実績を参照して、起動対象のアプリケーションを選択して起動するものについて示したが、その使用状態に対応する複数のアプリケーションから起動対象のアプリケーションの選択を受け付けるメニューを表示するようにしてもよい。
【００２４】
具体的には、図６に示すように、例えば、状態ｂから状態ｃに移行すると、ビデオ撮影又は静止画撮影の何れかのみの選択を受け付けるメニューを表示し、状態ｂから状態ｄに移行すると、ビデオ撮影，静止画撮影又はビューアーの何れかのみの選択を受け付けるメニューを表示する。また、状態ｂから状態ｅに移行すると、ビューアー又はブラウザの何れかのみの選択を受け付けるメニューを表示する。
【００２５】
もう少し具体的に説明すると、例えば、現在の使用状態に対応するアプリケーションがビデオ撮影のアプリケーションと、静止画撮影のアプリケーションである場合、ビデオ撮影又は静止画撮影の何れかのみの選択を受け付けるメニューを表示し、現在の使用状態に対応しないメール作成等のアプリケーションについては当該メニューから選択できないようにする（図７を参照）。
この実施の形態３によれば、現在の使用状態に対応するアプリケーションが自動的に起動されることはないが、現在の使用状態に対応するアプリケーションの選択の容易化を図ることができる効果を奏する。
【００２６】
実施の形態４．
上記実施の形態１〜３では、カメラユニット４が操作ユニット２に取り付けられているものについて示したが、カメラユニット４を操作ユニット２に対して脱着自在に取り付け、カメラユニット４が操作ユニット２から取り外されて、図８に示すように、他の拡張ユニット１１（例えば、ズームカメラレンズ、デジタルテレビチューナ、ゲーム、ＧＰＳ）が操作ユニット２に取り付けられた場合、新たに取り付けられた拡張ユニット１１の機能を考慮して、起動対象のアプリケーションを選択するようにしてもよい。
【００２７】
例えば、他の拡張ユニット１１がズームカメラレンズのユニットである場合、状態ｃ，ｄにおいて、ビデオ撮影又は静止画撮影を行うことが可能なアプリケーションを起動する。ただし、このアプリケーションは、ビデオ撮影又は静止画撮影において、映像のズーム機能を備えている。
他の拡張ユニット１１がデジタルテレビチューナのユニットである場合、状態ｂ，ｃ，ｄ，ｅにおいて、テレビ放送の受信を行うことが可能なアプリケーションを起動する。
他の拡張ユニット１１がゲームのユニットである場合、状態ｅにおいて、ゲームを行うことが可能なアプリケーションを起動する。
他の拡張ユニット１１がＧＰＳのユニットである場合、状態ｂ，ｃ，ｄ，ｅにおいて、地図表示が可能なアプリケーションを起動する。
【００２８】
なお、具体例として、例えば、カメラユニット４が操作ユニット２に取り付けられていてカメラアプリ（ビデオ撮影又は静止画撮影を行うことが可能なアプリケーション）が実行されている状態（図９のステップＳＴ１２）から、そのカメラユニット４が取り外されて、プリンタユニットが取り付けられた場合（ステップＳＴ１１）、そのカメラアプリにより撮影された画像が印刷アプリに引き渡されて（ステップＳＴ１３）、その印刷アプリが起動し（ステップＳＴ１４）、そのプリンタユニットが当該画像を印刷する。
【００２９】
この実施の形態４によれば、カメラユニット４を操作ユニット２に対して脱着自在に取り付け、カメラユニット４が操作ユニット２から取り外されて、他の拡張ユニットが操作ユニット２に取り付けられた場合、新たに取り付けられた拡張ユニットの機能を考慮して、起動対象のアプリケーションを選択するように構成したので、携帯情報端末の機能を拡張しても、アプリケーションを自動的に起動することができる効果を奏する。
【００３０】
実施の形態５．
図１０はこの発明の実施の形態５による携帯情報端末を示す構成図であり、図において、図２と同一符号は同一または相当部分を示すので説明を省略する。
表示制御部１２は表示ユニット１の傾きを検知し、その表示ユニット１の傾きに応じてカメラユニット５により撮影された画像の表示方向の切り換えを実施する。なお、表示制御部１２は表示制御手段を構成している。
【００３１】
次に動作について説明する。
例えば、現在の使用状態が状態ｄであるとき、アプリ起動部９がビデオ撮影又は静止画撮影を行うアプリケーションを起動することにより、カメラユニット５がビデオ撮影又は静止画撮影を実施すると（図１１（ａ）を参照）、画像の基準点ａは画像の左上に位置する。したがって、携帯情報端末の姿勢を変えずに、カメラユニット５のみを回転させて状態ｅに移行したとき（図１１（ｂ）を参照）、その画像を再生すると、画像の基準点ａが画像の左上に位置し、撮影時と同じ状態で表示される。
【００３２】
しかし、カメラユニット５を回転させて状態ｅに移行する際に、携帯情報端末の姿勢も１８０度回転させてしまうと（図１１（ｃ）を参照）、画像の再生時に、画像の基準点ａが画像の右下に位置してしまうため、撮影時と天地が逆転した状態で表示される。
また、カメラユニット５を回転させて状態ｅに移行する際に、携帯情報端末の姿勢も９０度右回転又は左回転させてしまうと（図１１（ｄ），（ｅ）を参照）、画像の再生時に、画像の基準点ａが画像の右上又は左下に位置してしまうため、撮影時と９０度向きが異なる状態で表示される。
【００３３】
そこで、この実施の形態５では、表示制御部１２が内蔵している重力センサを用いて、表示ユニット１の傾きを検知する。
即ち、画像撮影時における基準点ａの位置と、画像再生時における基準点ａの位置とを検知する。
そして、表示制御部１２は、両者の位置が一致する場合には、撮影時の画像をそのまま表示するが、例えば、画像撮影時における基準点ａの位置と、画像再生時における基準点ａの位置が１８０度異なれば、撮影時の画像を１８０度回転させて表示する。
また、画像撮影時における基準点ａの位置と、画像再生時における基準点ａの位置が＋９０度異なれば、撮影時の画像を−９０度回転させて表示し、画像撮影時における基準点ａの位置と、画像再生時における基準点ａの位置が−９０度異なれば、撮影時の画像を＋９０度回転させて表示する。
ここでは、状態ｄのとき画像を撮影し、状態ｅのとき画像を再生するものについて示したが、これに限るものではなく、例えば、状態ｃのとき画像を撮影し、状態ｅのとき画像を再生するようにしてもよい。
【００３４】
次に、画像撮影時の携帯情報端末の姿勢と画像再生時の携帯情報端末の姿勢とが１８０度異なる場合の処理内容をもう少し具体的に説明する。
まず、表示制御部１２が内蔵している重力センサを用いて、表示ユニット１の傾きを検知することにより、画像撮影時における基準点ａの位置を確認する（図１２のステップＳＴ２１）。
【００３５】
例えば、画像撮影時における基準点ａの位置が左上にある場合（図１１（ａ）を参照）、その基準点ａの位置が左上にある旨を示す画像方向情報（左上）を画像データに付加する（ステップＳＴ２２，ＳＴ２３）。
一方、画像撮影時における基準点ａの位置が右下にある場合（図１１（ｃ）を参照）、その基準点ａの位置が右下にある旨を示す画像方向情報（右下）を画像データに付加する（ステップＳＴ２２，ＳＴ２４）。
【００３６】
次に、表示制御部１２が内蔵している重力センサを用いて、表示ユニット１の傾きを検知することにより、画像再生時における基準点ａの位置を確認する（図１３のステップＳＴ３１）。
そして、画像データに付加されている画像方向情報を参照して、画像撮影時における基準点ａの位置と、画像再生時における基準点ａの位置とを比較する（ステップＳＴ３２）。
【００３７】
表示制御部１２は、両者が一致する場合、カメラユニット４により撮像された画像の方向を変換することなく、その画像を再生する（ステップＳＴ３３，ＳＴ３５）。
一方、画像撮影時における基準点ａの位置と、画像再生時における基準点ａの位置が異なる場合、カメラユニット４により撮像された画像の方向を１８０度回転させてから画像を再生する（ステップＳＴ３３〜ＳＴ３５）。
ここでは、画像撮影時の携帯情報端末の姿勢と画像再生時の携帯情報端末の姿勢とが１８０度異なる場合の処理内容を説明したが、９０度異なる場合も同様の処理により対処することができる。
【００３８】
以上で明らかなように、この実施の形態５によれば、表示ユニット１の傾きを検知し、その表示ユニット１の傾きに応じてカメラユニット５により撮影された画像の表示方向を切り換えるように構成したので、撮影時の画像の向きと常に同じ向きで画像を表示することができる効果を奏する。
【００３９】
【発明の効果】
以上のように、この発明によれば、状態判別手段により判別された使用状態に対応するアプリケーションを起動するとともに、その使用状態に移行する前の使用状態における使用結果を当該アプリケーションに引き渡す制御手段を設けるように構成したので、ユーザが起動対象のアプリケーションを一々選択しなくても、使用状態に応じたアプリケーションを自動的に起動することができるとともに、ユーザがアプリケーションの動作条件を一々入力しなくても、所望の動作を実現することができるようになる。したがって、ユーザの手間を省くことができる結果、使いやすいインタフェースを提供することができる効果がある。
【図面の簡単な説明】
【図１】この発明の実施の形態１による携帯情報端末を示す外形図である。
【図２】この発明の実施の形態１による携帯情報端末を示す構成図である。
【図３】この発明の実施の形態１による携帯情報端末の処理内容を示すフローチャートである。
【図４】起動対象のアプリケーションに引き渡される使用結果と動作内容の一例を示す説明図である。
【図５】送信メールに添付される画像を示す説明図である。
【図６】この発明の実施の形態３による携帯情報端末の処理内容を示すフローチャートである。
【図７】使用状態に対応する複数のアプリケーションから起動対象のアプリケーションの選択を受け付けるメニューを示す説明図である。
【図８】操作ユニットに取り付ける拡張のユニットを示す外形図である。
【図９】この発明の実施の形態４による携帯情報端末の処理内容を示すフローチャートである。
【図１０】この発明の実施の形態５による携帯情報端末を示す構成図である。
【図１１】画像の表示方向を示す説明図である。
【図１２】この発明の実施の形態５による携帯情報端末の処理内容を示すフローチャートである。
【図１３】この発明の実施の形態５による携帯情報端末の処理内容を示すフローチャートである。
【符号の説明】
１  表示ユニット（サブ筐体）、１ａ  液晶ディスプレイ、２  操作ユニット（サブ筐体）、３  ヒンジ機構（接続手段）、４  カメラユニット、５  回転機構（接続手段）、６  状態判別部（状態判別手段）、７  起動実績保存部（制御手段）、８  アプリ記憶部（制御手段）、９  アプリ起動部（制御手段）、１１拡張ユニット、１２  表示制御部（表示制御手段）。
【図１】
2004274494.tif 000003
【図２】
2004274494.tif 000004
【図３】
2004274494.tif 000005
【図４】
2004274494.tif 000006
【図５】
2004274494.tif 000007
【図６】
2004274494.tif 000008
【図７】
2004274494.tif 000009
【図８】
2004274494.tif 000010
【図９】
2004274494.tif 000011
【図１０】
2004274494.tif 000012
【図１１】
2004274494.tif 000013
【図１２】
2004274494.tif 000014
【図１３】
2004274494.tif 000015